(57)【特許請求の範囲】
【請求項１】
光色がオレンジ系であるナトリウム灯に照明度を調節できる照明度調節機構を設けて、０．３〜１ルクスの光が照射されるように構成されていることを特徴とするホタル保護灯。
【請求項２】
請求項１記載のホタル保護灯において、前記ナトリウム灯には該ナトリウム灯を覆い且つ所定方向に光を照射することのできる開口部を形成した照明カバーが設けられ、この照明カバーには前記照明度調節機構が設けられていることを特徴とするホタル保護灯。
【請求項３】
請求項２記載のホタル保護灯において、前記照明度調節機構は板厚や色の異なる複数の半透明のアクリル板を組み合わせて照明度を調節できるように構成されていることを特徴とするホタル保護灯。
【発明の詳細な説明】
【０００１】
【発明の属する技術分野】
本発明は、ホタルに悪影響を与えることのないホタル保護灯に関するものである。
【０００２】
【従来の技術及び発明が解決しようとする課題】
近年、町おこし村おこしの一つの方策として「ホタル」の保護運動が自治体の協力のもとに各地で行われている。特にゲンジボタルやヘイケボタルは清流にしか生息しないといわれるため、保護運動は町村のイメージアップのみならず環境保全に大きく貢献する側面を持っている。しかしながら、この取り組みは環境保全と生活基盤の確保の中でいろいろな問題を内包している。その一つとして人工照明（主に防犯灯など）がホタルの生息に影響を与えているという事例が報告されている。ホタルの発光はホタル同士のコミュニケーションに不可欠なものであり、その発光を妨害，錯乱する強力な外光はホタルの生存に直接的に影響を与える。ホタル生息地に防犯灯が設置されてからその周辺にホタルがいなくなるという事例が生じている。一方、人工照明は人間にとって安全で快適な生活環境を提供するものである。
【０００３】
そこで我々は照明光の強さや光色とホタルの飛翔発光との関係を実験的に調査し、生活光としての人工照明光とホタルの共生を考える上で一つのデータを得た。そして、この調査結果に基づいて、モデル灯を製作した。
【０００４】
本発明は、前記従来の課題を解決するためになされたものであり、生活光としての人工照明を十分確保でき、しかもホタルに悪影響を与えることのない照明装置を提供するものである。
【０００５】
【課題を解決するための手段】
添付図面を参照して本発明の要旨を説明する。
【０００６】
光色がオレンジ系であるナトリウム灯１に照明度を調節できる照明度調節機構４を設けて、０．３〜１ルクスの光が照射されるように構成されていることを特徴とするホタル保護灯に係るものである。
【０００７】
また、請求項１記載のホタル保護灯において、前記ナトリウム灯１には該ナトリウム灯１を覆い且つ所定方向に光を照射することのできる開口部３を形成した照明カバー２が設けられ、この照明カバー２には前記照明度調節機構４が設けられていることを特徴とするホタル保護灯に係るものである。
【０００８】
また、請求項２記載のホタル保護灯において、前記照明度調節機構４は板厚や色の異なる複数の半透明のアクリル板を組み合わせて照明度を調節できるように構成されていることを特徴とするホタル保護灯に係るものである。
【０００９】
【発明の実施の形態】
好適と考える本発明の実施の形態を、図面に基づいてその作用効果を示して簡単に説明する。
【００１０】
本発明は、光色がオレンジ系であるナトリウム灯１に照明度を調節できる照明度調節機構４を設けて、０．３〜１ルクスの光が照射されるように構成されているから、ホタルの発光を妨げることの少ないオレンジ系の光色を発光するナトリウム灯１で、ホタルの発生を妨げないように証明度調節機構４により照明度を調節することができ、その結果、ホタルは照明のない自然環境下における場合と同様に、何の妨げもなく発光することができ、ホタル同士のコミュニケーションが自由に行われ、ホタルは自由に飛翔することができ、交尾も自由に行われ、ホタルの繁殖が活発に行われて、ホタルの生息が確実に保証されることとなる。
【００１１】
請求項２の発明は、ナトリウム灯１には該ナトリウム灯１を覆い且つに所定方向に光を照射することのできる開口部３を形成した照明カバー２が設けられ、この照明カバー２には照明度調節機構４が設けられているから、ナトリウム灯１から照射される光は道路などに必要とされる照明度で照明カバー２の開口部３から照明が必要な場所に確実に照射され、ＪＩＳ道路照明基準を十分満足する照明を行うことができると共に、ホタルの生息場所に対しては、照明カバー２により照明の光が直接照射しないようにでき、更に、照明度を明暗調節できる照明度節機構４を設けたから、ＪＩＳ道路照明基準を満足する照明度で、且つホタルの発光を妨げることのないオレンジ系統色の照明となるように照明度調節機構４で照明度を明暗調節することができる。
【００１２】
したがって、ホタルの発光を妨げないように、ホタルの生息地に照射光が照射されないようにナトリウム灯１に照明カバー２を設け、この照明カバー２に照明度調節機構４を設けたから、ホタルの発生を妨げないように照明度調節機構４により照明度を調節することができ、その結果、ホタルは照明のない自然環境下における場合と同様に、何の妨げもなく発光することができ、ホタル同士のコミュニケーションが自由に行われ、ホタルは自由に飛翔することができ、交尾も自由に行われ、ホタルの繁殖が活発に行われて、ホタルの生息が確実に保証されることとなる。
【００１３】
【実施例】
本発明の一実施例に係るホタル保護灯に関して以下図面に基づいて説明する。
【００１４】
本実施例は、図１，図２に図示したように、市街地に設ける防犯灯や公園内に設置する一般照明灯などの照明灯１として、下端部を地面に埋設した支柱５の上方部にオレンジ系統色を発光する高圧ナトリウムランプ（例えば、高力率形４０Ｗ）のナトリウム灯１を設け、このナトリウム灯１の上方及び外周部を包囲して所望方向に照明することのできる開口部３を設けた照明カバー２を支柱５の上方部に設け、この照明カバー２内のナトリウム灯１の下方部に照明度を明暗調整できると共に光色を調整できる照明度調節機構４を設けている。
【００１５】
照明度調節機構４としては、所望の色（ホタルに対してはオレンジ系統色が悪影響を与えないことが後述の実験結果により確認されている。)、この場合には、オレンジ系統色の半透明のアクリル板を照明カバー２内に適宜取付固定している。
【００１６】
照明度調節機構４には、照明灯１の照明度や光色により外部に所望の照明度で所望の光色で照射するように照明度の調整及び光色の調整のために、半透明のアクリル板の板厚や材質あるいは色を選定するが、場合によっては、板厚や色の異なる複数のアクリル板を組み合わせて用いる場合もある。
【００１７】
光源にナトリウム灯を用いた理由は、光色がオレンジ系であることの他、高効率で高寿命であることもある。
【００１８】
照明度調節機構４の役割は、光色及び照明度調整の他、光源面に拡散性を持たせることで、光源を直接見つめた場合でもグレア（眩しさ）の知覚を与えないようにする役割を持っている。
【００１９】
次に、本実施例のホタル保護灯を開発するに当たり、種々の実験検討を行った結果について説明する。
【００２０】
照射光源の輝度（或いは被照面の水平面照度）や光色がホタル飛翔発光に与える影響を実験的に調査するため、ホタル生息地の一角に実験用ブースを設置した。そして、自然環境に近い状況の下でヘイケボタルを少なくとも５０匹以上をブース内に放し、照射光の輝度（或いは照明度）および色を変えたときのブース内ホタルの飛翔発光状況を調査した。実験ブースは立方体形でブース上部は光源を設置するため板で覆われている。その上部中央に１７ｃｍ×３０ｃｍ平方の大きさの拡散ガラスの入射窓がある。下部は自然の草木に接し、周囲は細かい黒の網目シートで覆い外からホタルの発光状況が観察できるようになっている。ブース内への照射光源の輝度値（或いは被照面照度値）は光源ブース内の三波長蛍光ランプ（昼光色用）二本を調光器を用いて可変設定される。照射光の光色は入射窓に半透明な着色アクリル板又は半透明クラフトシートを重ねて作り出した。
【００２１】
実験結果を図３に示す。図３は光源直下のブース底面の水平面照度とホタル発光数の関係を整理したもので、被照面照度が増加するとホタル発光数は指数関数的に減少する。減少の程度は光色がオレンジ系（赤色，オレンジ色）とそれ以外（白色，緑色，青色）の二つのグループに大きく分けられる。被照面照度がおよそ１ルクスではオレンジ系が無点灯時より約２５％減少するのに対し、それ以外の色系では７０％以上も急激に減少した。
【００２２】
ホタルは比較的人家の少ない市街周辺部にも生息している。この地域での照明灯は主に夜間における公衆の安全を図る目的を持つ防犯灯が設置されている。防犯灯は主に光源として蛍光灯，水銀灯が用いられている。ＪＩＳ道路照明基準によると、運転者の視点から、交通量の少なく、道路周辺の照明環境が暗い場合、道路の平均路面輝度の推奨値は０.５［cd／m2］となっている。歩行者の視点から、路面の状況が容易に認識され歩行の安全の確保、更に犯罪の予防に資する目的で、路面上の水平面照度は０.３〜３［lx］が推奨されている。
【００２３】
ホタル生息地に近い防犯灯設置箇所で実際の水平面照度を測定したところ防犯灯真下でおよそ１.５［lx］，半径２［ｍ］の半円周に沿った点で、およそ１.０［lx］で推奨照明度を充分満たしていた。また、アスファルトの路面輝度は１［cd／m2］以下であった。
【００２４】
満月の夜（照明度約０.２ルクス）でもホタルの飛翔発光は減少するという経験的事実、そして今回実施した輝度（或いは水平面照度)、光色とホタル飛翔発光数の関係調査結果及び道路照明基準に従って、ホタル生息地における防犯灯を含む街路灯を光色，明るさの面から考えると次のようになる。
【００２５】
路面上の水平面照度はおよそ０.３〜１ルクスとし、光源の光色はオレンジ系が望ましい。
【００２６】
わずかな明るさでもホタル飛翔発光に影響を与えるので、できるだけ照明の目的とする道路以外に光が漏れないよう配光を考慮した照明器具が望まれる。
【００２７】
【発明の効果】
本発明は、光色がオレンジ系であるナトリウム灯に照明度を調節できる照明度調節機構を設けて、０．３〜１ルクスの光が照射されるように構成されているから、ホタルの発光を妨げることの少ないオレンジ系の光色を発光するナトリウム灯で、ホタルの発生を妨げないように照明度調節機構により照明度を調節することができ、その結果、ホタルは照明のない自然環境下における場合と同様に、何の妨げもなく発光することができ、ホタル同士のコミュニケーションが自由に行われ、ホタルは自由に飛翔することができ、交尾も自由に行われ、ホタルの繁殖が活発に行われて、ホタルの生息が確実に保証されることとなる。
【００２８】
請求項２の発明は、ナトリウム灯にはナトリウム灯を覆い且つ所望方向に光を照射することのできる開口部を形成した照明カバーが設けられ、この照明カバーには照明度調節機構がを設けられているから、ナトリウム灯から照射される光は道路などに必要とされる照明度で照明カバーの開口部から照明が必要な場所に確実に照射され、ＪＩＳ道路照明基準を十分満足する照明を行うことができると共に、ホタルの生息場所に対しては、照明カバーにより照明の光が直接照射しないようにでき、更に、照明度を明暗調節できる照明度調節機構を設けたから、ＪＩＳ道路照明基準を満足する照明度で、且つホタルの発光を妨げることのないオレンジ系統色の照明となるように照明度調節機構で照明度を明暗調節することができる。
【００２９】
したがって、ホタルの発光を妨げないように、ホタルの生息地に照射光が照射されないようにナトリウム灯に照明カバーを設け、この照明カバーに照明度調節機構を設けたから、ホタルの発生を妨げないように照明度調節機構により照明度を調節することができ、その結果、ホタルは照明のない自然環境下における場合と同様に、何の妨げもなく発光することができ、ホタル同士のコミュニケーションが自由に行われ、ホタルは自由に飛翔することができ、交尾も自由に行われ、ホタルの繁殖が活発に行われて、ホタルの生息が確実に保証されることとなる。
【図面の簡単な説明】
【図１】  本発明の一実施例に係るホタル保護灯の施設状況を示す説明図である。
【図２】  本発明の図１の要部拡大説明図である。
【図３】  本発明の実験結果を示すグラフである。
【符号の説明】
１  ナトリウム灯
２  照明カバー
３  開口部
４  照明度調節機構
【図１】
0004041556.tif 000002
【図２】
0004041556.tif 000003
【図３】
0004041556.tif 000004